(57)【要約】【課題】  トイレや暗室の扉を施錠する表示錠に、外側から合鍵で施解錠できるものが無い。非常解錠装置の付いたものでは解錠ができるが施錠ができない。どの表示錠も表示部分を操作して施錠した錠を不正解錠ができ、安心してトイレや暗室の使用ができない。作業や管理の為にも外側から合鍵で施解錠のできる表示錠を実現する事が課題である。【解決手段】  表示器をダルマに組み付けず、デットボルトに組み付ける事でダルマにシリンダーの組み付けが可能となり、且つ施錠時には表示器を操作しても不正解錠ができない表示器付きシリンダー錠を実現した。【選択図】図１
2006112175.tif 000002
【特許請求の範囲】
【請求項１】
シリンダー(１６)とデットボルト(１)を有し、施錠時のデットボルト固定機構を有し、合鍵やサムターン(２２)操作でデットボルトを出し入れする錠のデットボルトに表示器(８)を組み付けた錠で、室内外から合鍵かサムターンを操作するとデットボルトの出し入れに合わせて表示が変わり、施錠時には表示器を操作してもデットボルトを引っ込められない事を特徴とする表示器付きシリンダー錠。
【発明の詳細な説明】
【技術分野】
【０００１】
表示器を設けたシリンダー錠の構造に関する。
【背景技術】
【０００２】
シリンダー錠には従来から多くの種類の錠が存在する。
表示錠や表示金具にも従来から多くの種類が存在する。
しかし扉の表示側から合鍵で操作し、施解錠のできる表示錠は見られない。
【特許文献１】実開昭６３−１８４９６３
【発明の開示】
【発明が解決しようとする課題】
【０００３】
トイレに従来から一般的に使用されている表示錠や表示金具には解決のできない事が２点有る。
１つは、作業等の為に使用禁止にしたい時でも外側から扉の施錠ができない事である。
１つは、内側から操作して施錠しても、外側から表示器の表示部分をスライドさせるか回転させると解錠する事である。それを知っている者は安心して用を足せない。
【０００４】
表示器部分に非常解錠装置の付いた表示錠も多く見られる。
これらは外側からコインやピンを使って表示器を回し、又はスライドさせる事で外側から解錠できるようにしたものである。
外側から施錠する為のものではなく、施錠しても外から簡単に開けられることから、安心して用を足せない。
【０００５】
暗室の入口に使用する効果的な錠が無い。
表示錠では外側から施錠して戸締りできず、シリンダー錠では表示が出ない為に施錠して暗室内で作業をしていても合鍵で開けられる心配がある。
【０００６】
表示錠とシリンダー錠を組み合わせた錠で、表示側から合鍵で操作して施解錠ができ、かつ施錠時には表示器を操作しても解錠しない錠を作る事が課題である。
【０００７】
従来の表示錠では表示器をダルマに組み付けるのが一般的である。
それは表示器部分を操作して非常解錠できるようにする為でもある。
しかしダルマに組み付けた場合、イタズラで解錠操作をされると簡単に解錠してしまい、不正解錠を防止する事は難しい。
ダルマの形状やダルマと金具の組み合わせで解決する事も可能だが、構造が複雑となり、部品の強度や作動の信頼性を確保するのが難しい。
【課題を解決するための手段】
【０００８】
本発明ではデットボルトに表示器を組み付ける事で、表示器を操作して不正解錠されるのを防止した。
錠のデットボルトには施錠時のデットボルト押し込みに耐える為に、デットボルト固定機構が設けてあり、デットボルトを引込める事ができない。
【０００９】
発明の錠の仕組みを図１、２に基づいて説明する。
デットボルト(１)側面に表示器(８)を組み付ける為の表示器ベース(４)を設ける。組み付けた表示器には上から表示窓付き化粧座(１２)を被せるように扉内外から化粧座で挟み込む。表示器は表示窓付き化粧座のスライド溝(１３)内を施解錠に合わせてスライドし、表示窓(１４)に表示器が表示される。シリンダー(１６)はダルマ(１１)に従来のシリンダー錠と同様に連結して組み付ける。
【００１０】
表示器を操作しても解錠しない事を図２Bに基づいて説明する。
表示器はデットボルト(１)の表示器ベース(４)に組み付けてある。
突き出したデットボルトは、デットボルト固定機構であるロッキングバー(２３)によって引込まないように固定されている。
よって表示器を操作してデットボルトを引込める事ができない。
【００１１】
合鍵で解錠操作をするとダルマ(１１)の軸受け穴(１０)に組み付けたシリンダー軸が回り、ダルマが回り、ダルマのデットカム(２５)がロッキングピン(２４)を押し、ロッキングピンがロッキングバー(２３)を押し上げ、同時にデットカムがデットボルト(１)を引込める。
【００１２】
従来の表示錠では表示器をダルマに組み付けている。その為に表示器を組み付けるとシリンダーを組み付ける事ができず、ダルマに表示器を組み付けるかシリンダーを組み付けるか選ばなければならない。
【００１３】
発明の表示器付きシリンダー錠では表示器はデットボルトに組み付け、シリンダーはダルマに組み付けるので表示器とシリンダーの両方を装着する事が可能である。
【発明の効果】
【００１４】
表示側から合鍵で操作して施解錠ができ、施錠時は表示器を操作しても解錠できない課題を解決できる錠を実現した。
【発明を実施するための最良の形態】
【００１５】
従来の表示錠で実現できなかった使い方であるシリンダー、表示器、サムターンの組み合わせを示すのが図５である。
トイレの表示錠として外側に表示器とシリンダーを組み付け、内側にサムターンを組み付けて使った場合、トイレ内で事故が発生した時の非常解錠には合鍵で解錠すれば良い。従来の非常解錠装置で解錠するよりトイレを使用する者の安心感が高まる。
【図面の簡単な説明】
【００１６】
【図１】表示器付きシリンダー錠の部品構成を示す斜視図である。
【図２】Ａ．解錠状態の錠ケース内部を示す。Ｂ．施錠状態の錠ケース内部を示す。
【図３】デットボルトの斜視図である。
【図４】ラッチボルトを持つ表示器付きシリンダー錠の錠ケース内部を示す。
【図５】表示器、シリンダー、サムターンの組み合わせ各例を示す。
【符号の説明】
【００１７】
１        デットボルト
２        位置出し溝
３        表示器ベースガイド溝
４        表示器ベース
５        錠ケース
６        ネジ穴
７        取り付けバー
８        表示器
９        シリンダー組み付け穴
１０      軸受け穴
１１      ダルマ
１２      表示窓付き化粧座
１３      スライド溝
１４      表示窓
１５      シリンダーガイド穴
１６      シリンダー
１７      鍵穴
１８      取り付けバー
１９      化粧座
２０      取り付けネジ
２１      サムターン筒
２２      サムターン
２３      ロッキングバー
２４      ロッキングピン
２５      デットカム
３１      デットボルト
３２      ラッチボルト
３３      錠ケース
３４      ダルマ
３５      表示器ベース
３６      ラッチカム
３７      取手軸受け穴
【図１】
2006112175.tif 000003
【図２】
2006112175.tif 000004
【図３】
2006112175.tif 000005
【図４】
2006112175.tif 000006
【図５】
2006112175.tif 000007